(57)【要約】【課題】極めて簡単な構造で、一対の突出部を押したときに限って出力端子部を装着部に突出させる。【解決手段】充電装置は、ケース１とスプリング線３と傾動体４とシーソー片１５とを備えている。充電装置は、装着部２に携帯機器２５が装着されない状態では、シーソー片１５が両端の突出部７を装着部２に突出させて、傾動体４が出力端子部３Ａをケース１内の引き込み位置としている。さらに、シーソー片１５の一方の突出部７がケース１内に向かって押し込まれて、他方の突出部７が装着部２に突出される状態においては、傾動体４が出力端子部３Ａをケース１内に引き込み位置としている。さらにまた、装着部２に携帯機器２５が装着されて、シーソー片１５の両端部の突出部７が押されると、シーソー片１５が中間で傾動体４を押して、出力端子部３Ａをケース１外に突出させる。【選択図】図７
2006050758.tif 000002
【特許請求の範囲】
【請求項１】
電池を内蔵する携帯機器(25)を脱着できるように装着する装着部(2)を有するケース(1)と、
このケース(1)内に設けられて、装着部(2)にセットされる携帯機器(25)の電源端子(26)に接触される出力端子部(3A)を有するスプリング線(3)と、
このスプリング線(3)に連結されて、ケース(1)内に傾動できるように配設している傾動体(4)と、
この傾動体(4)に中間部を連結して、両端部には装着部(2)に装着される携帯機器(25)に押される突出部(7)を設けているシーソー片(15)を備えており、
装着部(2)に携帯機器(25)が装着されない状態では、シーソー片(15)が両端の突出部(7)を装着部(2)に突出させて、傾動体(4)が出力端子部(3A)をケース(1)内の引き込み位置とし、かつ、シーソー片(15)の一方の突出部(7)がケース(1)内に向かって押し込まれて、他方の突出部(7)が装着部(2)に突出される状態においては、傾動体(4)が出力端子部(3A)をケース(1)内に引き込み位置として、
装着部(2)に携帯機器(25)が装着されて、シーソー片(15)の両端部の突出部(7)が押されると、シーソー片(15)が中間で傾動体(4)を押して、出力端子部(3A)が携帯機器(25)の電源端子(26)に接触するように出力端子部(3A)をケース(1)外に突出させるようにしてなる充電装置。
【請求項２】
シーソー片(15)の突出部(7)を弾性的にケース(1)外に向かって押し出す弾性片(22)が、プラスチック製の傾動体(4)に一体的に成形されている請求項１に記載される充電装置。
【請求項３】
出力端子部(3A)がケース(1)内に引き込まれる方向に傾動体(4)を弾性的に付勢して傾動させる傾動スプリング(18)をケース(1)内に内蔵している請求項１に記載される充電装置。
【請求項４】
ケース(1)内に回路基板(13)を内蔵しており、この回路基板(13)にスプリング線(3)の一端を連結している請求項１に記載される充電装置。
【請求項５】
シーソー片(15)の突出部(7)を突出させる貫通孔(6)を装着部(2)の底面に設けている請求項１に記載される充電装置。
【請求項６】
電池を内蔵する携帯機器(25)を脱着できるように装着する装着部(2)を有するケース(1)と、
このケース(1)内に設けられて、装着部(2)にセットされる携帯機器(25)の電源端子(26)に接触される出力端子部(3A)を有するスプリング線(3)と、
このスプリング線(3)に連結されて、ケース(1)内に傾動できるように配設している傾動体(4)と、
この傾動体(4)に中間部を連結して、両端部には装着部(2)に装着される携帯機器(25)に押される突出部(7)を設けているレバー片(16)を備えており、
レバー片(16)は、ケース(1)から装着部(2)に突出している突出部(7)を有すると共に、この突出部(7)が携帯機器(25)に押されて傾動するようにケース(1)内に設けられており、さらに、このレバー片(16)は突出部(7)が押される傾動すると、傾動体(4)を傾動させるように端部を傾動体(4)に連結しており、
装着部(2)に携帯機器(25)が装着されない状態では、レバー片(16)が突出部(7)を装着部(2)に突出させて、傾動体(4)は出力端子部(3A)をケース(1)内の引き込み位置とし、装着部(2)に携帯機器(25)が装着されて、レバー片(16)の突出部(7)が押されると、レバー片(16)が先端部で傾動体(4)を押して、出力端子部(3A)が携帯機器(25)の電源端子(26)に接触するように出力端子部(3A)をケース(1)外に突出させるようにしてなる充電装置。
【請求項７】
出力端子部(3A)がケース(1)内に引き込まれる方向に傾動体(4)を弾性的に付勢して傾動させる傾動スプリング(18)をケース(1)内に内蔵している請求項６に記載される充電装置。
【発明の詳細な説明】
【技術分野】
【０００１】
本発明は、二次電池を内蔵する携帯機器を装着して、内蔵している二次電池を充電する充電装置に関する。
【背景技術】
【０００２】
充電装置は、装着される携帯機器の電源端子に接触される正負の接触端子を備えている。正負の接触端子に金属が接触してショートすると、大きなショート電流が流れる。また、正負の接触端子の電圧が高い場合には、濡れた手で接触すると感電する可能性もある。また、電圧が低い場合でも、長時間接触すると低温やけどを被るおそれがある。この弊害を解消するために、携帯機器を装着しない状態では、接触端子をケース内に収納する充電装置が開発されている（特許文献１参照）。
【特許文献１】特開２００３−９４０９号公報
【発明の開示】
【発明が解決しようとする課題】
【０００３】
この公報に記載される充電装置を図１ないし図５に示す。この充電装置は、携帯機器４０を嵌合して装着する凹状の装着部３２を有するケース３１と、装着部３２に携帯機器４０が装着されたことを検知する装着検知部３０と、携帯機器４０が装着部３２に装着されたとき、携帯機器４０に設けられた電源端子４１と接触し、携帯機器４０に内蔵される二次電池に充電電圧を印加するための一対の出力端子部３３Ａを備える。出力端子部３３Ａは、ケース３１内に配設されて、ケース３１に設けられた端子窓３５から装着部３２に出没可能に設けられている。装着検知部３０は、ケース３１内に軸支され、一端の突出部３７が装着部３２の底面に設けられた貫通孔３６を貫通して突出する傾動体３４と、傾動体３４の突出部３７を突出方向に付勢するスプリング線３３とを備える。携帯機器４０が装着され、傾動体３４の一端がスプリング線３３の付勢力に抗して押し下げられたとき、傾動体３４の回転に連動して出力端子部３３Ａを端子窓３５から装着部３２に押し出して、携帯機器４０の電源端子４１と接触させる。
【０００４】
さらに、この充電装置は、装着検知部３０の傾動体３４を、左右に分割して独立に回転支持している。この左右の傾動体３４が押されることにより出力端子部３３Ａが端子窓３５から装着部３２に押し出されるようにしている。この構造の充電装置は、左右に分割された個々の傾動体３４を独立して傾動させるので、同時に左右両側の傾動体３４の一端をスプリング線３３の付勢力に抗して押し下げたときのみ、２つの出力端子部３３Ａが端子窓３５から装着部３２に突出する。携帯機器４０が装着部３２に装着されるときは、左右両側の傾動体３４が携帯機器４０で押し下げられて、突出した正負の出力端子部３３Ａによって、携帯機器４０に内蔵される電池が充電される。しかしながら、携帯機器が装着されていないときは、ユーザーが左右両側の傾動体の一端を同時に押し下げしない限りは、出力端子部は装着部に突出しない。このため、感電やショートを確実に阻止できる。
【０００５】
しかしながら、この構造の充電装置は、傾動体を左右に分割して独立して傾動する機構とするので、両方の突出部を押したときにかぎって、正負の出力端子部が突出するようにするメカニズムが複雑になる欠点がある。また、一方の傾動体が傾動されると、片方の出力端子部は装着部に突出するので、突出した出力端子部が汚れたり、あるいは変形するなどの弊害を確実に防止できない欠点がある。
【０００６】
本発明はさらにこの欠点を解消することを目的に開発されたものである。本発明の重要な目的は、極めて簡単な構造で一対の突出部を押したときに限って出力端子部を装着部に突出できる充電装置を提供することにある。
また、本発明の他の大切な目的は、簡単な構造で、装着部にセットされる携帯機器で押される傾動体の突出部を出力端子部から離して配置して、出力端子部を確実に携帯機器の電源端子に接触できる充電装置を提供することにある。
【課題を解決するための手段】
【０００７】
本発明の充電装置は、電池を内蔵する携帯機器２５を脱着できるように装着する装着部２を有するケース１と、このケース１内に設けられて、装着部２にセットされる携帯機器２５の電源端子２６に接触される出力端子部３Ａを有するスプリング線３と、このスプリング線３に連結されて、ケース１内に傾動できるように配設している傾動体４と、この傾動体４に中間部を連結して、両端部には装着部２に装着される携帯機器２５に押される突出部７を設けているシーソー片１５を備えている。充電装置は、装着部２に携帯機器２５が装着されない状態では、シーソー片１５が両端の突出部７を装着部２に突出させて、傾動体４が出力端子部３Ａをケース１内の引き込み位置としている。さらに、充電装置は、シーソー片１５の一方の突出部７がケース１内に向かって押し込まれて、他方の突出部７が装着部２に突出される状態においては、傾動体４が出力端子部３Ａをケース１内に引き込み位置としている。さらにまた、充電装置は、装着部２に携帯機器２５が装着されて、シーソー片１５の両端部の突出部７が押されると、シーソー片１５が中間で傾動体４を押して、出力端子部３Ａが携帯機器２５の電源端子２６に接触するように出力端子部３Ａをケース１外に突出させる。
【０００８】
本発明の充電装置は、シーソー片１５の突出部７を弾性的にケース１外に向かって押し出す弾性片を、プラスチック製の傾動体４に一体的に成形することができる。
【０００９】
本発明の充電装置は、出力端子部３Ａがケース１内に引き込まれる方向に傾動体４を弾性的に付勢して傾動させる傾動スプリング１８をケース１内に内蔵することができる。
【００１０】
本発明の充電装置は、ケース１内に回路基板１３を内蔵して、この回路基板１３にスプリング線３の一端を連結することができる。
【００１１】
本発明の充電装置は、シーソー片１５の突出部７を突出させる貫通孔６を装着部２の底面に設けることができる。
【００１２】
本発明の請求項６の充電装置は、電池を内蔵する携帯機器２５を脱着できるように装着する装着部２を有するケース１と、このケース１内に設けられて、装着部２にセットされる携帯機器２５の電源端子２６に接触される出力端子部３Ａを有するスプリング線３と、このスプリング線３に連結されて、ケース１内に傾動できるように配設している傾動体４と、この傾動体４に中間部を連結して、両端部には装着部２に装着される携帯機器２５に押される突出部７を設けているレバー片１６を備えている。レバー片１６は、ケース１から装着部２に突出している突出部７を有すると共に、この突出部７が携帯機器２５に押されて傾動するようにケース１内に設けられている。さらに、このレバー片１６は、突出部７が押されて傾動すると、傾動体４を傾動させるように端部を傾動体４に連結している。この充電装置は、装着部２に携帯機器２５が装着されない状態では、レバー片１６が突出部７を装着部２に突出させて、傾動体４は出力端子部３Ａをケース１内の引き込み位置とし、装着部２に傾動体４が装着されて、レバー片１６の突出部７が押されると、レバー片１６が先端部で傾動体４を押して、出力端子部３Ａが携帯機器２５の電源端子２６に接触するように出力端子部３Ａをケース１外に突出させる。
【００１３】
本発明の充電装置は、出力端子部３Ａがケース１内に引き込まれる方向に傾動体４を弾性的に付勢して傾動させる傾動スプリング１８をケース１内に内蔵することができる。
【発明の効果】
【００１４】
本発明の充電装置は、極めて簡単な構造で一対の突出部を押したときに限って出力端子部を装着部に突出できる特長がある。それは、本発明の充電装置が、出力端子部を有するスプリング線を連結して、ケース内に傾動できるように配設している傾動体に、携帯機器で押される突出部を両端部に設けているシーソー片またはレバー片の中間部を連結しており、装着部に携帯機器が装着されない状態では、突出部を装着部に突出させて傾動体が出力端子部をケース内の引き込み位置とすると共に、装着部に携帯機器が装着されて、両端部の突出部が押されると、シーソー片またはレバー片で傾動体を押して、出力端子部をケース外に突出させるからである。
【００１５】
とくに、本発明の請求項１の充電装置は、シーソー片を備えており、このシーソー片の中間部を傾動体に連結すると共に、両端部に突出部を設けて装着部に突出させているので、シーソー片の一方の突出部がケース内に向かって押し込まれて、他方の突出部が装着部に突出される状態においては、中間部が傾動体を押して出力端子部をケース外に突出させることなく、ケース内に引き込み位置とする。すなわち、この充電装置は、極めて簡単な構造で、両方の突出部を押したときにかぎって、出力端子部が突出するようにでき、一方の突出部が押し込まれたときに出力端子部が装着部に突出して、汚れたり変形するなどの弊害を確実に防止できる特長がある（第１実施例に対応している）。
【００１６】
さらに、本発明の請求項６の充電装置は、レバー片を傾動するようにケース内に設けており、レバー片の突出部が携帯機器に押されると、レバー片の先端部で傾動体を押して出力端子部をケース外に突出させるようにしているので、簡単な構造で、装着部にセットされる携帯機器で押される傾動体の突出部を出力端子部から離して配置して、出力端子部を確実に携帯機器の電源端子に接触できる特長がある（第２実施例に対応している）。
【発明を実施するための最良の形態】
【００１７】
以下、本発明の実施例を図面に基づいて説明する。ただし、以下に示す実施例は、本発明の技術思想を具体化するための充電装置を例示するものであって、本発明は充電装置を以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
本発明の第１実施例を図６ないし図１３に示し、第２実施例を図１４ないし図１８に示す。以下の記述において、特に説明がない場合は、両実施例を説明している。
【００２０】
図６ないし図１８に示す充電装置は、二次電池を内蔵する携帯機器２５を脱着できるように装着して、内蔵している二次電池を充電する。携帯機器２５は、携帯電話である。ただ、本発明は、内蔵する二次電池を充電する携帯機器を特定するものでなく、たとえば、ＭＤやＣＤの再生または録音再生機、デジタル携帯機器、ゲーム機等二次電池を内蔵している全ての携帯機器とすることができる。
【００２１】
充電装置は、携帯機器２５を脱着できるように装着する装着部２を有するケース１と、このケース１内に設けられて、装着部２にセットされる携帯機器２５の電源端子２６に接触される出力端子部３Ａを有するスプリング線３と、スプリング線３に連結されて、ケース１内に傾動できるように配設している傾動体４と、この携帯機器２５の脱着を検出して傾動体４を傾動させる傾動片を備えている。第１実施例においては、シーソー片１５からなる傾動片を備え、第２実施例においては、レバー片１６からなる傾動片を備えている。
また、両実施例の充電装置は、細長く延びる延在方向の直角方向において対称構造であるので、実施例での説明、図では一方しか開示がなくても、左右対称である他方は対称構造であり、開示が省略されている。
【００２２】
さらに、充電装置は、ケース１に充電回路（図示せず）を内蔵している。ただし、本発明の充電装置は、ケースに必ずしも充電回路を設ける必要ない。外部に設けている充電回路にリード線を介して接続することもできるからである。充電回路を内蔵しない充電装置は、充電台として使用される。
【００２３】
図に示す充電装置は、ケース１の上面に装着部２を設けている。装着部２は、ケース１の上面に設けた凹部である。携帯機器２５は、凹部の装着部２に嵌着されて定位置にセットされる。携帯機器２５は、自重で凹部の装着部２に装着される。ただし、ケースは、装着部に装着した携帯機器を抜けないように引っかけて係止する係止部を装着部に設けることができる。このケースは、係止部でしっかりと携帯機器を定位置に装着して保持できる。
【００２４】
ケース１は、下方を開口している上ケース１Ａと、この上ケース１Ａの下方開口部を閉塞している下ケース１Ｂとからなる。上ケース１Ａと下ケース１Ｂは、プラスチックを成形して製作される。上ケース１Ａの上面に凹部を設けて装着部２としている。上ケース１Ａは、内蔵しているスプリング線３の出力端子部３Ａを外部に突出させる端子窓５と、シーソー片１５やレバー片１６の突出部７を装着部２に突出させる貫通孔６を開口している。図６ないし図１３に示す充電装置のケース１は、装着部２の底面に端子窓５と貫通孔６を設けている。図１４ないし図１８に示す充電装置のケース１は、装着部２の壁面に端子窓５を開口して、底に貫通孔６を設けている。図６ないし図１３に示す充電装置は、携帯機器２５（図１０に概略形状を示す）の底面に設けている電源端子２６に出力端子部３Ａを接触させる。図１４ないし図１８に示す充電装置は、携帯機器２５（図１７に概略形状を示す）の側部に設けている電源端子２６に出力端子部３Ａを接触させる。携帯機器は、機種によって種々の位置に電源端子を配置している。出力端子部３Ａは、電源端子２６に接触させる位置に配置される。端子窓５は、出力端子部３Ａを装着部２に突出させる位置に配置される。端子窓５は、装着部２に装着される携帯機器２５の電源端子２６の位置に開口される。上ケース１Ａは、ふたつの端子窓５と、ふたつの貫通孔６を開口している。ふたつの端子窓５は、正負の出力端子部３Ａを装着部２に突出させる。また、ふたつの貫通孔６は、シーソー片１５やレバー片１６に設けているふたつの突出部７を突出させる。
【００２５】
さらに、第１実施例においては、ケース１は、内蔵している傾動体４を傾動できるように連結するために、傾動体４の傾動軸８を回転できるように支持する支持部１１を一体的に成形して設けている。支持部１１は、上ケース１Ａの内面に下方に突出して設けられた支持リブである。支持リブは、その先端に、傾動体４の傾動軸８を回転できるように案内する半円形の凹部を設けている。傾動体４は、図７の平面図と図８の斜視図に示すように、その両側に傾動軸８を設けている。両側の傾動軸８は直線上に配置されている。両側の傾動軸８を支持するために、支持リブは傾動体４の両側に配設されて、傾動体４の両側に設けている傾動軸８を回転できるように支持する。支持リブの凹部に案内された傾動軸８は、下ケース１Ｂで抜けないように支持される。この下ケース１Ｂは、支持リブ先端の凹部に案内される傾動軸８の下方に位置する抜け留めリブ１２を一体的に成形している。この構造のケース１は、傾動体４の傾動軸８を支持リブの凹部に案内する状態で、上ケース１Ａの開口部に下ケース１Ｂを連結して、傾動体４を回転できるようにケース１に連結できる。
第２実施例では、図示されないが、傾動軸８は、ケース１の部材により軸支される。ただし、本発明は、傾動体の傾動軸を回転できるようにケースに連結する構造を以上の構造には特定しない。傾動軸を回転できるようにケースに連結できる全ての構造、たとえば、ケースに傾動軸を支持する孔や凹部を設け、ここに傾動軸を案内して傾動体を傾動できるように連結できる。
【００２６】
スプリング線３は、導電性と弾性のある金属線である。スプリング線３は、ばね用リン青銅の線材等の弾性金属線の表面を金メッキしたものが最適である。携帯機器２５の電源端子２６に対する接触不良を少なくできるからである。スプリング線３は、先端部に出力端子部３Ａを設けている。この出力端子部３Ａを携帯機器２５の正負の電源端子２６に接触させて、携帯機器２５の内蔵電池を充電する。したがって、スプリング線３は正負の出力端子部３Ａを互いに絶縁して設けて、電源端子２６に接触させるために、２本のスプリング線３を互いに絶縁してケース１内に設けている。２本のスプリング線３は図７と図８に示すように、傾動体４の両側に絶縁して配設されている。
【００２７】
スプリング線３は、一端をケース１に連結して固定している。図のスプリング線３は、ケース１に固定している回路基板１３を介してケース１に連結している。すなわち、ケース１に回路基板１３を固定し、この回路基板１３にスプリング線３を固定している。スプリング線３は、回路基板１３に半田付して固定している。さらに図のスプリング線３は、固定端３Ｅを凸部３ｅができるように折曲して、この凸部３ｅを回路基板１３に設けた連結孔に挿通して半田付して固定している。この構造は、スプリング線３を確実にしっかりと定位置に固定できる。回路基板１３は、ケース１に嵌着して定位置に固定され、あるいはケース１にネジ止あるいは接着して定位置に固定される。
【００２８】
スプリング線３は、固定端３Ｅと出力端子部３Ａとの間に、携帯機器２５の電源端子２６に出力端子部３Ａを弾性的に押圧する接点用のコイル部３Ｃを設けている。コイル部は、スプリング線３をコイル状に巻いている。
【００２９】
図のスプリング線３は、一端を固定端３Ｅとし、他端部には出力端子部３Ａを設け、出力端子部３Ａと固定端３Ｅとの間に接点用のコイル部３Ｃを設けている。このスプリング線３は、固定端３Ｅから接点用のコイル部３Ｃまでの間に直線状の固定ライン３Ｄを、接点用のコイル部３Ｃから出力端子部３Ａまでの間に直線状の接点押圧ライン３Ｂを設けている。このスプリング線３は、１本の弾性金属線を、一端から他端に向かって順に、固定端３Ｅ、固定ライン３Ｄ、接点用のコイル部３Ｃ、接点押圧ライン３Ｂ、出力端子部３Ａ、さらに出力端子部３Ａの端部にストッパ部３ａを設けるように加工している。ストッパ部３ａは、傾動体４の裏面の端子連結部１０に係合して保持されて、出力端子部３Ａの突出位置を特定する。
【００３０】
接点用のコイル部３Ｃは、傾動体４に設けているコイル用軸９を挿通して、傾動体４に連結される。この接点用のコイル部３Ｃは、コイル状に巻かれてその両側に固定ライン３Ｄと接点押圧ライン３Ｂを連結している。固定ライン３Ｄは、回路基板１３を介してケース１に固定され、接点押圧ライン３Ｂは、その先端に連結している出力端子部３Ａを電源端子２６に押圧する。固定ライン３Ｄは固定されているので回転が停止されて、接点用のコイル部３Ｃは、図１０の矢印Ｂで示す方向に出力端子部３Ａを付勢する。この接点用のコイル部３Ｃは、出力端子部３Ａを矢印Ｂで示すように、携帯機器２５の電源端子２６に押圧する方向に付勢する。
【００３１】
傾動体４は、全体をプラスチックで一体的に成形している。図７の平面図に示す傾動体４は、図において傾動軸８の左側に押圧部４Ａを、右側に接点連結部４Ｂを設けている。図１５の平面図に示す傾動体４は、図において傾動軸８の右側に押圧部４Ａを、左側に接点連結部４Ｂを設けている。傾動軸８は、押圧部４Ａと接点連結部４Ｂの境界に、両側に直線状に突出して設けられている。図７の傾動体４は、押圧部４Ａの上方にシーソー片１５を配置している。シーソー片１５が押圧部４Ａを押し下げて、傾動体４は出力端子部３Ａを突出させる方向に傾動される。図１５の傾動体４は、押圧部４Ａの上方にレバー片１６を配設している。レバー片１６が押圧部４Ａを押し下げて、傾動体４は出力端子部３Ａを突出させる方向に傾動される。
【００３２】
図７と図８の傾動体４は、接点連結部４Ｂを平面状として、接点連結部４Ｂの先端に設けたストッパ部３ａを係合し、保持するための孔１０Ａを端子連結部１０に設けている。スプリング線３は、山形に折曲している出力端子部３Ａの先端を外側に折曲してストッパ部３ａを設けている。スプリング線３は、図１０の断面図に示すように、出力端子部３Ａの先端部を孔１０Ａに通過させて、先端に設けているストッパ部３ａを接点連結部４Ｂの裏面の端子連結部１０に係合し、保持して、出力端子部３Ａの突出位置を特定している。スプリング線３は、出力端子部３Ａを携帯機器２５の電源端子２６で押すと、ストッパ部３ａを接点連結部４Ｂの下面から離すように、すなわち端子連結部１０から離すように弾性変形する。
【００３３】
図１６ないし図１８の傾動体４は、接点連結部４Ｂを、平面部４Ｂａに垂直部４Ｂｂを連結して、垂直断面をＬ字状に近似する形状に成形している。この傾動体４は、平面部４Ｂａの先端に垂直部４Ｂｂの下端を連結して、垂直部４Ｂｂを、スプリング線３のストッパ部３ａを係合し、保持する端子連結部１０としている。この傾動体４は、スプリング線３の接点押圧ライン３Ｂを端子連結部１０の背面に配設して、接点連結部４Ｂを電源端子２６に押して変形できるようにしている。このスプリング線３は、出力端子部３Ａを電源端子２６で押すと、ストッパ部３ａである接点押圧ライン３Ｂが、垂直部４Ｂｂの端子連結部１０から離れて、接点連結部４Ｂを弾性的に変形して電源端子２６に押圧する。傾動体４は、接点押圧ライン３Ｂを傾動体４の上面から下面に案内するために、平面部４Ｂａを貫通して挿通孔１７を設け、この挿通孔１７に接点押圧ライン３Ｂを挿通している。
【００３４】
傾動体４は、傾動スプリング１８を連結している。傾動スプリング１８は、出力端子部３Ａをケース１内の引き込み位置とする方向に傾動体４を付勢して傾動させる。傾動スプリング１８はコイルバネで、一端を傾動体４の押圧部４Ａに、他端をケース１に連結している。傾動体４は、傾動スプリング１８を連結するコイル用軸１９を一体的に成形して設けている。図７と図８に示す傾動体４は、傾動軸８とコイル用軸１９を一体構造として、傾動軸８に傾動スプリング１８を挿通している。図１５と図１６の傾動体４は、傾動体４の外側に傾動軸８を設け、この傾動軸８と同軸に、すなわち傾動軸８に対して直線上に配置して、傾動軸８の内側にコイル用軸１９を一体的に成形して設けている。両実施例において、コイル用軸１９を挿通して、傾動体４に連結される傾動スプリング１８は、その一端が押圧部４Ａを下から弾性的に押し上げる方向に付勢し、その他端がケース１を押す方向に付勢する。この傾動スプリング１８は、出力端子部３Ａを引き込み位置とする姿勢に傾動体４を傾動させる。
【００３５】
図７ないし図１３の充電装置は、傾動体４を傾動させて出力端子部３Ａをケース１から突出させるために、シーソー片１５をケース１に内蔵している。シーソー片１５は、全体をプラスチックで一体的に成形している。このシーソー片１５は、その両端部に上方に突出する突出部７を設けている。突出部７は、ケース１に開口している貫通孔６から装着部２に突出している。シーソー片１５は、中央を支点として傾動でき、かつ上下方向に移動できるように上ケース１Ａに連結している。上ケース１Ａは、シーソー片１５を定位置に連結するために、下方に突出して中空円柱状連結ロッド２０を一体的に成形して設けている。連結ロッド２０は、シーソー片１５の中央に位置して設けている。さらに、連結ロッド２０は、傾動体４の押圧部４Ａが上下に移動するのを阻止しない突出高さとしている。シーソー片１５は、図７に示すように、連結ロッド２０を挿通する連結穴１５Ａを中央に設けている。さらに、上ケース１Ａは、シーソー片１５の両端部の両側に位置して、シーソー片１５の横ずれを阻止するストッパリブ２１を下方に突出して設けている。シーソー片１５は、ストッパリブ２１の間に配設され、かつ、連結穴１５Ａに連結ロッド２０を通通して、上ケース１Ａに上下に移動でき、かつ傾動できるように連結している。
【００３６】
シーソー片１５は、突出部７を押さない状態では、突出部７をケース１の貫通孔６から外部に突出させる位置に配置される。シーソー片１５をこの位置に弾性的に押圧するために、図７に示す傾動体４は、両側に弾性片２２を一体的に成形して設けている。弾性片２２は、図１２と図１３の断面図に示すように、シーソー片１５の両端部の下方に先端を配置して、シーソー片１５を下面から弾性的に押し上げて、突出部７をケース１外に向かって押し出している。この構造は、傾動体４でシーソー片１５を弾性的に押し出すことができるので、シーソー片１５を弾性的に押し出すために専用のパーツを設ける必要がない。また、シーソー片１５の両側に設けている突出部７を、常に装着部２の貫通孔６からケース１外に確実に突出できる。ここで、携帯機器２５を装着したときは、突出部７及びシーソー片１５が押し下げられ、傾動体４が回転することにより、傾動体４に一体成形された両弾性片２２も回転する。そして、押し下げられたシーソー片１５の両端部の下方先端より、離れて弾性片２２が下方になるように設計されており、これにより、携帯機器２５の装着時に、弾性片２２が長時間たわんでシーソー片１５を押し上げることはない。ただし、本発明の充電装置は、必ずしもシーソー片を弾性体で下から押圧して、突出部をケースの外部に突出させる必要はない。それは、傾動体の押圧部でシーソー片を押し上げることもできるからである。
【００３７】
シーソー片１５は、装着部２に携帯機器２５が装着されない状態、すなわち、両端の突出部７を装着部２に突出させる状態では、傾動体４の押圧部４Ａを押し下げない。この状態において、傾動体４は傾動スプリング１８に付勢されて、図１０の実線で示すように、出力端子部３Ａをケース１内の引き込み位置とする。また、シーソー片１５の一方の突出部７がケース１内に向かって押し込まれて、他方の突出部７が装着部２に突出される状態においては、シーソー片１５は単に傾く姿勢となり、傾動体４の押圧部４Ａを押し下げない。したがって、この状態においても、出力端子部３Ａはケース１内の引き込み位置となる。
【００３８】
ところが、装着部２に携帯機器２５が装着されて、シーソー片１５の両端部の突出部７が両方共押されると、シーソー片１５全体が押し下げられる。この状態になると、シーソー片１５は中央の下面で、傾動体４の押圧部４Ａを押し下げる。押圧部４Ａが押し下げられた傾動体４は、出力端子部３Ａがケース１外に押し出されるように傾動する。端子窓５からケース１外に押し出される出力端子部３Ａは、装着部２にセットされる携帯機器２５の電源端子２６に押圧されて電気接続される。この状態で、出力端子部３Ａが電源端子２６に押されるので、接点用のコイル部３Ｃは、ストッパ部３ａを端子連結部１０から離すように変形して、出力端子部３Ａを電源端子２６に弾性的に押圧する。
【００３９】
レバー片１６は、全体をプラスチックで一体的に成形している。レバー片１６は、図１５の平面図に示すように、全体の形状をコ字状に成形して、上下片１６Ａの両側に一対のアーム１６Ｂを平行に連結している形状に成形している。アーム１６Ｂの途中に、ケース１から装着部２に突出する突出部７を設けている。アーム１６Ｂの先端には連結軸１６Ｃを一体的に成形して設けている。連結軸１６Ｃは、ケース１に回転できるように連結している。連結軸１６Ｃは、アーム１６Ｂの両側に突出している。この連結軸１６Ｃは、上ケース１Ａと下ケース１Ｂの間に設けている連結穴（図示せず）に案内されて、回転できるようにケース１に連結される。
【００４０】
図１５に示す充電装置は、ケース１内の左端部に傾動体４を配置している。レバー片１６は、傾動体４の押圧部４Ａの上方に上下片１６Ａを配置し、かつアーム１６Ｂの先端が上下片１６Ａよりも右側、すなわち、傾動体４の反対側に位置する姿勢でケース１内に配置している。すなわち、図の充電装置は、傾動体４とレバー片１６を、細長いケース１の縦方向（＝延在方向）に並べて配置している。傾動体４は、レバー片１６に傾動されるので、レバー片１６の上下片１６Ａと傾動体４の押圧部４Ａとを上下に配置して連結している。レバー片１６は、上下片１６Ａで押圧部４Ａを押し下げて、出力端子部３Ａを携帯機器２５の電源端子２６に接触できるように傾動体４を傾動させる位置に配置される。
【００４１】
図１５の充電装置は、レバー片１６の上下片１６Ａとアーム１６Ｂとで囲まれる領域に、回路基板１３を配置して、ケース１に固定している。この回路基板１３の両側にスプリング線３を半田付けして固定している。回路基板１３は、コネクタ受け部２３を連結している。回路基板１３は、コネクタ受け部２３を介してケース１の定位置に配置して固定している。コネクタは、端子（図示せず）をケース１の外部に表出させている。コネクタは、リード線（図示せず）を介して、ケース１の外部に配置する充電用の電源に連結される。
【００４２】
図１５ないし図１８の充電装置は、ケース１の装着部２に携帯機器２５が装着されると、装着部２に突出している突出部７が押し込まれる。すなわち、レバー片１６が携帯機器２５で傾動される。この状態に傾動するレバー片１６は、上下片１６Ａを下に移動させる。上下片１６Ａは、傾動体４の押圧部４Ａの上方にあるので、傾動体４の押圧部４Ａを押し下げて、傾動体４を傾動させる。この姿勢に傾動される傾動体４は、出力端子部３Ａを装着部２に突出させて、携帯機器２５の電源端子２６に接触させる。
【００４３】
装着部２に携帯機器２５が装着されない状態において、傾動体４の押圧部４Ａはレバー片１６の上下片１６Ａを押し上げる。傾動体４が傾動スプリング１８で付勢されているからである。上下片１６Ａが押し上げられると、レバー片１６は、突出部７を装着部２に突出させる。この姿勢において、傾動体４は出力端子部３Ａをケース１内の引き込み位置とする。
【００４４】
第２実施例においては、レバー片１６を利用することで、突出部７と出力端子部３Ａの距離が大きくなっている。図１７に装着時の携帯機器２５の概略を示すように、携帯機器２５の一端に位置する電源端子２６を先に装着部２に当接した後、携帯機器２５の他端を装着部２に当接して装着することになるので、携帯機器２５が装着される最後の頃に突出部７を下げることになり、出力端子部３Ａの突出、電源端子２６との接触も装着の最後の頃となる。仮に、第１実施例のように、突出部７と出力端子部３Ａの距離が小さいと、携帯機器２５が装着される最初の頃に突出部７を下げることになり、最初の頃より出力端子部３Ａが突出、電源端子２６と接触することになるので、電源端子２６と出力端子部３Ａが装着作業が終わるまでの長い時間にわたり擦れることになるが、第２実施例では、最後の頃に出力端子部３Ａが突出して、電源端子２６と接触することになるので、電源端子２６と出力端子部３Ａが長い時間にわたり擦れることを低減できる。
【００４５】
第２実施例において、仮に、図１９の比較図に示すように、レバー片を利用することなく、傾動体４の右端を延長させて、突出部７を設けるとする。そして、傾動体４の動きが、上述の第２実施例と同じとするなら、突出部７と傾動軸８との距離が大きくなると（図１９においては、突出部７の種々の位置を示している）、突出部７の回転動作に伴う上下方向の動作距離が大きくなり、突出部７と傾動軸８との距離は、突出部７の上下方向の動作距離が所望の距離となるように制約を受けることになる。しかし、本第２実施例においては、レバー片１６を利用することにより、このような制約を受けず、突出部７の上下方向の距離を適切にすることができる。
【００４６】
また、図２０は、第２実施例の出力端子部３Ａ等の他の例を示す断面図であり、図１８の断面部分と同じ部分であり、同等の構造については同一の符号を付して説明を省略する。図２０においては、傾動体４の接点連結部４Ｂが垂直部を備えておらず、接点用のコイル部３Ｃより、スプリング線３が延出して、凸状の出力端子部３Ａを折曲して形成した後、折り返すようにして戻って、終端３Ｆを平面部４Ｂａの端部で下部に係合し、保持している。本構造においては、スプリング線３の２本にて出力端子部３Ａの部分を形成することになるので、出力端子部３Ａの弾性力を増加することができる。
【図面の簡単な説明】
【００４７】
【図１】従来の充電装置の斜視図である。
【図２】図１に示す充電装置の装着検知部の斜視図である。
【図３】図１に示す充電装置の垂直縦断面図である。
【図４】図３に示す充電装置に携帯機器を装着する状態を示す断面図である。
【図５】図３に示す充電装置に携帯機器を装着した状態を示す断面図である。
【図６】本発明の第１実施例にかかる充電装置の平面図である。
【図７】図６に示す充電装置の内部構造を示す拡大平面図である。
【図８】図７に示す傾動体とスプリング線とシーソー片の位置関係を示す斜視図である。
【図９】図６に示す充電装置の垂直縦断面図であって、図７のＡ−Ａ線断図に相当する図である。
【図１０】図６に示す充電装置の垂直縦断面図であって、図７のＢ−Ｂ線断図に相当する図である。
【図１１】図６に示す充電装置の垂直縦断面図であって、図７のＣ−Ｃ線断図に相当する図である。
【図１２】図６に示す充電装置の垂直縦断面図であって、図７のＤ−Ｄ線断図に相当する図である。
【図１３】図６に示す充電装置の垂直横断面図であって、図７のＥ−Ｅ線断図に相当する図である。
【図１４】本発明の第２実施例にかかる充電装置の平面図である。
【図１５】図１４に示す充電装置の内部構造を示す拡大平面図である。
【図１６】図１４に示す充電装置の斜視図である。
【図１７】図１４に示す充電装置の垂直縦断面図であって、図１５のＡ−Ａ線断図に相当する図である。
【図１８】図１４に示す充電装置の垂直縦断面図であって、図１５のＢ−Ｂ線断図に相当する図である。
【図１９】第２実施例と比較する比較例の動きの概略を示す断面図である。
【図２０】第２実施例における出力端子部等の他の一例を示す断面図である。
【符号の説明】
【００４８】
１…ケース              １Ａ…上ケース          １Ｂ…下ケース
２…装着部
３…スプリング線        ３Ａ…出力端子部        ３ａ…ストッパ部
３Ｂ…接点押圧ライン
３Ｃ…接点用のコイル部
３Ｄ…固定ライン
３Ｅ…固定端            ３ｅ…凸部
４…傾動体              ４Ａ…押圧部
４Ｂ…接点連結部      ４Ｂａ…平面部
４Ｂｂ…垂直部
５…端子窓
６…貫通孔
７…突出部
８…傾動軸
９…コイル用軸
１０…端子連結部        １０Ａ…孔
１１…支持部
１２…抜け留めリブ
１３…回路基板
１５…シーソー片        １５Ａ…連結穴
１６…レバー片          １６Ａ…上下片
１６Ｂ…アーム
１６Ｃ…連結軸
１７…挿通孔
１８…傾動スプリング
１９…コイル用軸
２０…連結ロッド
２１…ストッパリブ
２２…弾性片
２３…コネクタ受け部
２５…携帯機器
２６…電源端子
３０…装着検知部
３１…ケース
３２…装着部
３３…スプリング線      ３３Ａ…出力端子部
３３Ｃ…接点用のコイル部
３３Ｅ…傾動用のコイル部
３４…傾動体
３５…端子窓
３６…貫通孔
３７…突出部
３８…傾動軸
３９…コイル用軸
４０…携帯機器
４１…電源端子
【図１】
2006050758.tif 000003
【図２】
2006050758.tif 000004
【図３】
2006050758.tif 000005
【図４】
2006050758.tif 000006
【図５】
2006050758.tif 000007
【図６】
2006050758.tif 000008
【図７】
2006050758.tif 000009
【図８】
2006050758.tif 000010
【図９】
2006050758.tif 000011
【図１０】
2006050758.tif 000012
【図１１】
2006050758.tif 000013
【図１２】
2006050758.tif 000014
【図１３】
2006050758.tif 000015
【図１４】
2006050758.tif 000016
【図１５】
2006050758.tif 000017
【図１６】
2006050758.tif 000018
【図１７】
2006050758.tif 000019
【図１８】
2006050758.tif 000020
【図１９】
2006050758.tif 000021
【図２０】
2006050758.tif 000022